【手続補正書】
【提出日】平成23年3月11日(2011.3.11)
【手続補正１】
【補正対象書類名】特許請求の範囲
【補正対象項目名】全文
【補正方法】変更
【補正の内容】
【特許請求の範囲】
【請求項１】
内視鏡または腹腔鏡器具を保護するための保護スリーブ装置であって、
開放近位端および開放遠位端を有する細長い管状部材を備え、該細長い管状部材は、それを通して腹腔鏡または内視鏡器具を受容するように寸法設定されかつ構成され、該管状部材は、該管状部材の中間部と解放可能に係合している、該遠位端に隣接する折り畳み部を有することにより、実質的に閉じたスリーブを画定して器具を受容し、該管状部材の内部内の汚染物質の進入を実質的に防止し、該折り畳み部は、該管状部材に近位の力を及ぼすと該中間部から解放可能であることにより、該器具に沿う該管状部材の除去を容易にする、保護スリーブ装置。
【請求項２】
内視鏡または腹腔鏡器具を保護するための保護スリーブ装置であって、
開放近位端および閉鎖遠位端を有する細長い管状部材を備え、該細長い管状部材は、それを通して腹腔鏡または内視鏡器具を受容するように大きさ設定されかつ構成され、該細長い管状部材はそれの該近位端と遠位端との間に引き裂き線を含むことにより、該腹腔鏡または内視鏡器具からの該管状部材の除去を容易にする、保護スリーブ装置。
【請求項３】
前記閉鎖遠位端は、前記管状部材の前記遠位端を加熱、結合、または密封することによって形成される、請求項２に記載の保護スリーブ装置。
【請求項４】
前記閉鎖遠位端は、前記管状部材をそれの上に折り畳むことによって形成されて、折り畳み部を画定する、請求項２に記載の保護スリーブ装置。
【請求項５】
前記折り畳み部は、管状部材の中間部に解放可能に取り付けられる、請求項４に記載の保護スリーブ装置。
【請求項６】
前記管状部材は、実質的に円筒形である、請求項２に記載の保護スリーブ装置。
【請求項７】
前記管状部材の前記遠位端は、先細りにされている、請求項２に記載の保護スリーブ装置。
【請求項８】
前記管状部材の前記開放近位端に載置される、基部部材をさらに含む、請求項２に記載の保護スリーブ装置。
【請求項９】
前記基部部材は、半剛性の可撓性リングを形成する、請求項８に記載の保護スリーブ装置。
【請求項１０】
前記基部部材は、切れ目を含む、請求項９に記載の保護スリーブ装置。
【請求項１１】
前記基部部材の前記切れ目は、前記引き裂き線と整列している、請求項１０に記載の保護スリーブ装置。
【請求項１２】
前記基部部材は、前記管状部材がそれの上に巻かれ得るように構成される、請求項８に記載の保護スリーブ装置。
【請求項１３】
前記基部部材は、前記管状部材の設置および除去を容易にするための１つ以上のタブを含む、請求項８に記載の保護スリーブ装置。
【請求項１４】
前記管状部材は、それの外面に沿って複数の隆起リブを含み、該隆起リブは、該管状部材と、該管状部材および器具が導入されるときに通る入口との間に所定の間隔を維持するように寸法設定される、請求項２に記載の保護スリーブ装置。
【請求項１５】
内視鏡または腹腔鏡器具を保護するためのシステムであって、
内視鏡デバイスまたは腹腔鏡デバイスが体腔内に配置されている間に該デバイスから除去されることが可能であるスリーブを備え、
該スリーブは、該内視鏡デバイスまたは腹腔鏡デバイスの遠位端の周りに設置されるように構成され、
該スリーブは、該内視鏡デバイスまたは腹腔鏡デバイスを体腔にアクセスする入口を通して導入している間に、該内視鏡デバイスまたは腹腔鏡デバイス上に配置されるよういｎ構成され、
いったん該体腔内に配置されると、該スリーブの近位端に引張力を付与することにより、該内視鏡デバイスまたは腹腔鏡デバイスの周りから該スリーブが除去される、システム。
【手続補正２】
【補正対象書類名】明細書
【補正対象項目名】００１２
【補正方法】変更
【補正の内容】
【００１２】
内視鏡または腹腔鏡器具を保護するために可撤性スリーブを使用する方法も開示されるが、その方法は、
内視鏡または腹腔鏡デバイスが体腔内に配置されている間にデバイスから除去されることが可能なスリーブを提供するステップと、
内視鏡または腹腔鏡デバイスの遠位端の周りにスリーブを設置するステップと、
内視鏡または腹腔鏡デバイスを、その上に配置されたスリーブとともに、体腔にアクセスする入口を通して導入するステップと、
いったん体腔内に配置されると、スリーブの近位端に引張力を付与するステップと、
内視鏡または腹腔鏡デバイスの周囲からスリーブを除去するステップとを含む。
例えば、本発明は以下の項目を提供する。
（項目１）
内視鏡または腹腔鏡器具を保護するための保護スリーブ装置であって、
開放近位端および開放遠位端を有する細長い管状部材を備え、該細長い管状部材は、それを通して腹腔鏡または内視鏡器具を受容するように寸法設定されかつ構成され、該管状部材は、該管状部材の中間部と解放可能に係合している、該遠位端に隣接する折り畳み部を有することにより、実質的に閉じたスリーブを画定して器具を受容し、該管状部材の内部内の汚染物質の進入を実質的に防止し、該折り畳み部は、該管状部材に近位の力を及ぼすと該中間部から解放可能であることにより、該器具に沿う該管状部材の除去を容易にする、保護スリーブ装置。
（項目２）
内視鏡または腹腔鏡器具を保護するための保護スリーブ装置であって、
開放近位端および閉鎖遠位端を有する細長い管状部材を備え、該細長い管状部材は、それを通して腹腔鏡または内視鏡器具を受容するように大きさ設定されかつ構成され、該細長い管状部材はそれの該近位端と遠位端との間に引き裂き線を含むことにより、該腹腔鏡または内視鏡器具からの該管状部材の除去を容易にする、保護スリーブ装置。
（項目３）
上記閉鎖遠位端は、上記管状部材の上記遠位端を加熱、結合、または密封することによって形成される、項目２に記載の保護スリーブ装置。
（項目４）
上記閉鎖遠位端は、上記管状部材をそれの上に折り畳むことによって形成されて、折り畳み部を画定する、項目２に記載の保護スリーブ装置。
（項目５）
上記折り畳み部は、管状部材の中間部に解放可能に取り付けられる、項目４に記載の保護スリーブ装置。
（項目６）
上記管状部材は、実質的に円筒形である、項目２に記載の保護スリーブ装置。
（項目７）
上記管状部材の上記遠位端は、先細りにされている、項目２に記載の保護スリーブ装置。
（項目８）
上記管状部材の上記開放近位端に載置される、基部部材をさらに含む、項目２に記載の保護スリーブ装置。
（項目９）
上記基部部材は、半剛性の可撓性リングを形成する、項目２に記載の保護スリーブ装置。
（項目１０）
上記基部部材は、切れ目を含む、項目９に記載の保護スリーブ装置。
（項目１１）
上記基部部材の上記切れ目は、上記引き裂き線と整列している、項目１０に記載の保護スリーブ装置。
（項目１２）
上記基部部材は、上記管状部材がそれの上に巻かれ得るように構成される、項目２に記載の保護スリーブ装置。
（項目１３）
上記基部部材は、上記管状部材の設置および除去を容易にするための１つ以上のタブを含む、項目２に記載の保護スリーブ装置。
（項目１４）
上記管状部材は、それの外面に沿って複数の隆起リブを含み、該隆起リブは、該管状部材と、該管状部材および器具が導入されるときに通る入口との間に所定の間隔を維持するように寸法設定される、項目２に記載の保護スリーブ装置。
（項目１５）
内視鏡または腹腔鏡器具を保護するための可撤性スリーブを使用する方法であって、
内視鏡または腹腔鏡デバイスが体腔内に配置されている間に該デバイスから除去されることが可能であるスリーブを提供するステップと、
該内視鏡または腹腔鏡デバイスの遠位端の周りに該スリーブを設置するステップと、
該内視鏡または腹腔鏡デバイスを、それの上に配置される該スリーブとともに、体腔にアクセスする入口を通して導入するステップと、
いったん該体腔内に配置されると、該スリーブの近位端に引張力を付与するステップと、
該内視鏡または腹腔鏡デバイスの周りから該スリーブを除去するステップと
を含む、方法。